(57)【特許請求の範囲】
【請求項１】
内視鏡と複数の周辺装置をシステム用筐体に収納する内視鏡システムにおいて、
前記複数の周辺装置のうち少なくとも１つを設置して前記システム用筐体に収納されるテーブルと、
このテーブルをスライド移動させて、前記テーブルに設置された周辺装置を所定位置に配置させるスライド機構と、
前記テーブルに設置された周辺装置に電気的に接続され、前記スライド機構により前記周辺装置を前記所定位置に配置させた状態において電気的接続が保たれる長さに設定された電気ケーブルと、
前記電気ケーブルを収納し、前記テーブルのスライド移動に伴って変形する可動ケーブルダクトと、
を設けたことを特徴とする内視鏡システム。
【請求項２】
前記テーブルの手元側を前記システム用筐体の手元側で固定する手元側固定手段と、
前記システム用筐体の手元側で操作して、前記テーブルの奥側を前記システム用筐体内の奥側で固定するための奥側固定手段と、
を設けたことを特徴とする請求項１記載の内視鏡システム。
【請求項３】
前記テーブルは、前記周辺装置を設置可能な第１のテーブルと、前記第１のテーブルをスライド可能に上部側に載置し、前記第１のテーブルのスライド方向とは異なる方向に前記システム用筐体に対してスライド可能な第２のテーブルとからなり、前記奥側固定手段は、前記第１のテーブルと前記第２のテーブルとを互いに固定するように構成されたことを特徴とする請求項２記載の内視鏡システム。
【発明の詳細な説明】
【０００１】
【発明の属する技術分野】
本発明は、内視鏡と複数の周辺装置とで構成される内視鏡システムに関し、特に、複数の周辺装置をシステム用筐体に収納して複数の周辺装置を集中的に制御する内視鏡システムに関する。
【０００２】
【従来の技術】
医療用分野において、内視鏡を用いて診断あるいは治療・処置を行う場合、内視鏡検査に必要な内視鏡や光源装置、送気・送水装置、ビデオプロセッサなど周辺装置をラックなどにひとまとめに収納して作業性を向上させていた。
【０００３】
近年、診断及び操作性をより一層向上させるため、各周辺装置をドクターが主に操作する装置群と、ナースが主に操作する装置群とをそれぞれユニット化していた。そして、これら複数の装置とこれら装置を一括制御する制御装置とをシステム用筐体に集約して配設し、各装置と制御装置とを、電源ケーブルや信号ケーブルなどを一括したハーネスでそれぞれ相互に接続して内視鏡システムを構成していた。
【０００４】
【発明が解決しようとする課題】
しかしながら、上述のように各装置をユニット化し、システム用筐体に集約してメインの制御装置で各装置の制御を行えるようにした内視鏡システムであっても、各装置はそれぞれ独立した機能を有する独立した装置である。このため、故障時の修理や、装置改良に伴う部品交換などを行なうときには各装置についてそれぞれ独立して対処しなければならない。
【０００５】
そして、内視鏡システム内のある装置の修理や部品交換などの作業を行なうためには、まず、修理する装置をシステム用筐体内から一旦取り外してから本来の目的の作業である修理や部品交換などを行わなければならなかった。
【０００６】
即ち、修理や部品交換などを行なうサービスマンは本来の目的の作業の他に、システム用筐体に固定されている装置の固定状態を解除する作業や、装置に接続されているケーブル類を取り外す作業、装置をシステム用筐体から取り外す作業、この取り外した装置を配置するスペースを予め用意しておく作業、本来の目的の作業を終了した後の装置をシステム用筐体に配置してシステム用筐体に固定する作業、装置にケーブル類を取り付ける作業などが行わなければならない。これら作業は担当者にとって煩わしい作業であった。
【０００７】
本発明は上記事情に鑑みてなされたものであり、システム用筐体に収納されている装置の保守・点検などを行なう際、装置をシステム用筐体に固定している固定状態を解除する作業や装置に接続されているケーブル類の取り外し作業などを行なうことなく、目的の作業をスムーズに快適に行える内視鏡システムを提供することを目的としている。
【０００８】
【課題を解決するための手段】
本発明による内視鏡システムは、内視鏡と複数の周辺装置をシステム用筐体に収納する内視鏡システムにおいて、前記複数の周辺装置のうち少なくとも１つを設置して前記システム用筐体に収納されるテーブルと、このテーブルをスライド移動させて、前記テーブルに設置された周辺装置を所定位置に配置させるスライド機構と、前記テーブルに設置された周辺装置に電気的に接続され、前記スライド機構により前記周辺装置を前記所定位置に配置させた状態において電気的接続が保たれる長さに設定された電気ケーブルと、前記電気ケーブルを収納し、前記テーブルのスライド移動に伴って変形する可動ケーブルダクトとを設けている。
また、前記テーブルの手元側を前記システム用筐体の手元側で固定する手元側固定手段と、前記システム用筐体の手元側で操作して、前記テーブルの奥側を前記システム用筐体内の奥側で固定するための奥側固定手段とを設けており、さらに、前記テーブルは、前記周辺装置を設置可能な第１のテーブルと、前記第１のテーブルをスライド可能に上部側に載置し、前記第１のテーブルのスライド方向とは異なる方向に前記システム用筐体に対してスライド可能な第２のテーブルとからなり、前記奥側固定手段は、前記第１のテーブルと前記第２のテーブルとを互いに固定するように構成されている。
【０００９】
この構成によれば、複数の周辺装置のうち少なくとも１つを設置してシステム用筐体に収納されるテーブルを、スライド機構によりスライド移動させて、該テーブルに設置された周辺装置を所定位置に配置でき、この所定位置に配置された前記テーブルに設置された周辺装置に電気的に接続された電気ケーブルは、前記スライド機構により前記周辺装置を前記所定位置に配置させた状態において電気的接続が保たれる長さに設定されており、この電気ケーブルは、前記テーブルのスライド移動に伴って変形する可動ケーブルダクトに収納されている。
また、前記テーブルの手元側を、前記システム用筐体の手元側で手元側固定手段により固定し、前記システム用筐体の手元側で操作して、前記テーブルの奥側を前記システム用筐体内の奥側で奥側固定手段により固定する。
また、前記奥側固定手段は、周辺装置を設置可能な第１のテーブルと、この第１のテーブルをスライド可能に上部側に載置し、前記第１のテーブルのスライド方向とは異なる方向に前記システム用筐体に対してスライド可能な第２のテーブルとを互いに固定するようになっている。
【００１０】
【発明の実施の形態】
以下、図面を参照して本発明の実施の形態を説明する。
図１及び図２は本発明の一実施形態に係り、図１はシステム用筐体に配設される周辺装置を設置するテーブルの一例を示し、テーブルを複数設けた収納ケース体の概略構成を示す説明図、図２は周辺装置を設置したテーブルを引き出した状態を示す説明図である。
【００１１】
図１に示すように本実施形態の収納ケース体１は、光源装置やビデオプロセッサなど様々な周辺装置２ａ，２ｂ，２ｃ．．．を設置するテーブル３を複数設けており、この収納ケース体１を後述するシステム用筐体の内部に配設して内視鏡システムを構成している。
【００１２】
前記周辺装置２ａ，２ｂ，２ｃを設置する各テーブル３には、前記周辺装置２ａ，２ｂ，２ｃを設置した状態で、このテーブル３を収納ケース体１に対して矢印方向にスムーズに移動させるスライド機構となるスライドレール４が設けられている。このテーブル３は、作業のし易い位置まで移動するように、移動距離が設定されている。なお、前記装置を設置したテーブルを移動させる機構はスライド機構に限定されるものではなく、装置が設置されたテーブルがスムーズに筐体外部に移動できる構造であれば良い。
【００１３】
図２（ａ）に示すように前記周辺装置２ａに接続されているケーブル類５のケーブル長は、前記テーブル３を作業し易い位置まで引き出したとき、余裕のある長さに設定されており、可動型ケーブルダクト６内を挿通して接続されている。この可動型ケーブルダクト６は、前記テーブル３の移動に伴って徐々に変形するようになっており、前記テーブル３の移動に合わせて周辺装置２ａに接続されているケーブル類５が引き出されていくようになっている。
【００１４】
一方、前記周辺装置２ａに接続されずに、この周辺装置２ａ近傍を通過するだけのケーブル類７は固定型ケーブルダクト８内を挿通している。なお、符号９は引き出したテーブル３を保持するためのテーブル支持棒である。
【００１５】
ここで、周辺装置２ａのメンテナンスを行なうときについて説明する。
周辺装置２ａのメンテナンスを行う場合、まず、この周辺装置２ａが設置されているテーブル３を引き出していく。すると、このテーブル３の移動に伴って可動型ケーブルダクト６が徐々に変形して、周辺装置２ａに接続されているケーブル類５が周辺装置２ａと共に引き出されてくる。このことにより、この周辺装置２ａに接続されているケーブル類５を取り外すことなく、また前記ケーブル類５を傷つけることなく、テーブル３が所定の位置まで引き出される。
【００１６】
次に、前記テーブル３が所定の位置まで引き出されたところで、テーブル支持棒８をテーブル３に設けてある透孔３ａに差し込む。このことにより、前記周辺装置２ａを設置しているテーブル３の引き出し状態が安定的に保持される。そして、この状態で周辺装置２ａのメンテナンスを行なう。
【００１７】
このように、周辺装置を設置するテーブルにスライド機構を設けたことにより、目的の周辺装置が設置されているテーブルを引き出すことによって、周辺装置を所定の位置まで移動させることができる。また、このとき、前記テーブルに設置されている周辺装置に接続されているケーブル類が可動型ケーブルダクト内を挿通し、周辺装置を設置しているテーブルの移動に対応して伸び縮みすることによって、ケーブル類を傷つけることなく周辺装置を所定の位置まで移動させることができる。このことにより、周辺装置に接続されているケーブル類の着脱など煩わしい作業を行なうことなく、目的の周辺装置だけを所定の位置に移動させてメンテナンスなどの作業が行える。また、従来のメンテナンス作業で作業の完了を確認するために必要であった治具ハーネス類が不要になる。つまり、図２（ｂ）に示すように従来内視鏡システム１０１のメンテナンス作業を行なうときまず、周辺装置１０２に接続されている接続ケーブル類１０３を外してから内視鏡システム１０１のフレーム１０４より周辺装置１０２を取り出す。次に、前記フレーム１０４より取り出した周辺装置１０２を例えば作業テーブル１０５の上に載置してメンテナンスを行なう。次いで、メンテナンス終了後の周辺装置１０２をフレーム１０４に取り付ける前に、作業テーブル１０５に載置されている周辺装置１０２とシステム内の接続ケーブル類１０３とを治具ハーネス類１０６を介して接続し、作業後の周辺装置１０２とシステムとの接続状態を再現して正常に動作することを確認した後、前記治具ハーネス類１０６を周辺装置１０２から取り外し、この周辺装置１０２にシステム内の接続ケーブル類１０３を接続してフレーム１０４に取り付けて作業を終了する。これに対して、本実施形態では図２（ａ）に示したようにテーブル３を引き出して周辺装置２のメンテナンスを行うとき、周辺装置２にシステム内のケーブル類を接続したままの状態で行えるので、前記治具ハーネス類１０６が一切不要になる。さらに、周辺装置をテーブルに設置した状態で作業を行えるので、周辺装置を置いておくためのスペースを確保する必要がなくなる。
【００１８】
また、テーブル支持棒をテーブルに設けた透孔に差し込むことによって、周辺装置を設置しているテーブルを引き出した状態で安定的に保持することができる。このことにより、周辺装置がテーブルの上に安定して保持されて作業性が向上する。
【００１９】
なお、収納ケース体の形状及び構成は上述のものに限定されるものではなく、テーブルを１つだけ備えた収納ケース体であったり、その他の構成であっても良いことはいうまでもない。
【００２０】
図３及び図４は上述で説明したような引き出し式可能なテーブル３など、装置２を設置した移動可能なテーブル３１をシステム用筐体１１の内部に設けた内視鏡システム１０を示すものである。なお、符号１２は電動式ベッドであり、符号１３ａ，１３ｂはモニタ、符号１４はフットスイッチ、符号１５は電子スコープ、符号１６は基板収納ケース、符号１７は別の周辺装置、符号１８はコネクタ設置部である。
【００２１】
前記テーブル３１は排液構造を設けたテーブルを示すものであり、図５に示すようにテーブル底面３ｂに排液孔２１ａを設けた受皿部材２１が載置されるようになっている。このため、テーブル３１の底面には前記受皿部材２１の排液孔２１ａに略一致するように透孔３ｃが形成されている。そして、前記透孔３ｃには開口部２２ａが前記排液孔２１ａに対向する広口な水抜き用口金２２が取り付けられている。なお、この水抜き用口金２２の口金部２２ｂには排液チューブ２３が連結されている。このことにより、送水チューブなどの液体を流すチューブが連結される周辺装置２を受皿部材２１を配設したテーブル３１に設置することにより、前記周辺装置２またはチューブから万一液体が漏れて出てしまった場合でも、漏れた液体が受皿部材２１内に溜り、この受皿部材２１に溜まった液体が排液孔２１ａ及び水抜き用口金２２、排液チューブ２３を通じて外部に排出されていく。このことにより、メンテナンス作業などのとき、誤って流体用ューブの連結部を取り外してしまった場合でも液体が外部に漏れ出ることを防止することができる。
【００２２】
前記コネクタ設置部１８は、内視鏡システム１０の床部３２に配設されているケーブル類３３とシステム用筐体１１内のシステム本体（不図示）とを接続するためのものであリ、図６に示すようにコネクタ設置部１８は、システム本体に固定されている本体固定板２４、Ｄ−ｓｕｂコネクタ２５、Ｄ−ｓｕｂコネクタ固定用の固定用ポスト２６、取り付け板部材２７、ビス２８などで構成されている。
【００２３】
即ち、前記Ｄ−ｓｕｂコネクタ２５は、取り付け板部材２７に固定用ポスト２６によって固定されており、この取り付け板部材２７を本体固定板２４にビス２８で固定することによって、Ｄ−ｓｕｂコネクタ２５が本体固定板２４に取りつけられるようになっている。
【００２４】
このため、前記Ｄ−ｓｕｂコネクタ２５を本体固定板２４より取り外すときには、本体固定板２４よりビス２８を外すだけで、取り付け板部材２７に一体的に固定されているＤ−ｓｕｂコネクタ２５を取り外すことができる。
【００２５】
この構造により、Ｄ−ｓｕｂコネクタを取り付けるために必要であったナット類の取り扱いをする必要が無くなり、使い勝手及び作業性が大幅に向上する。
【００２６】
前記基板収納ケース１６は、基板を収納するケースであり、図７に示すようにシステム用筐体のフレーム４０にケース本体４１が接続具４２及び蝶番４３によって接続固定されている。なお、ケース本体４１の内部に基板４５ａ，４５ｂが配設されている。
【００２７】
基板４５ａのメンテナンスを行なう場合、カバー４１ａを取り外すことによって基板４５ａを取り外せる。一方、基板４５ｂのメンテナンスを行なう場合には、前記カバー４１ａを取り外した場所で、接続具４２を取り外した後、蝶番４３によってケース本体４１を二点鎖線に示す位置まで回転移動した状態にすることにより、この位置でカバー４１ｂの取り外しを行なって基板４５ｂを取り外せる。
【００２８】
このことにより、サービスマンは作業位置を代えることなく即ち、同位置で二方向に配設されている両方の基板のメンテナンスが行える。
【００２９】
前記別の周辺装置１７が収納されているシステム用筐体１１には開閉自在なメンテナンス用扉５１や取り外し可能な外装パネル５２がで小分割に取り付けられている。このことにより、周辺装置１７を設置するときには扉５１を開けることにより容易に行える。また、この周辺装置１７とシステム本体との接続は、周辺装置１７のコネクタを小分割した外装パネル５２付近に設置しておくことによりパネル５２を取り外すだけで容易に行える。
【００３０】
このように、システム用筐体に配設される周辺装置及び基板、ケーブル類の配設方法を考慮することにより、使い勝手が向上し、周辺装置を引き出してメンテナンスを行なうだけでなく、基板の調整や、周辺装置の入れ替え、システム内のケーブルの接続・切り放し等、あらゆるメンテナンス行為の労力の低減を図ることができる。
【００３１】
ところで、周辺装置のメンテナンスを引き出しテーブル方式で行える内視鏡システムにおいて、周辺装置を安定した状態でシステム用筐体に収納するため、周辺装置を設置するテーブルを収納体に確実に固定することが重要である。そして、このテーブルを確実に固定するためには、テーブルが引き出される手元側のみならず奥側にも固定部材を設ける必要がある。
【００３２】
しかし、奥側に固定部材を設けるようにすると、一ヶ所にいて、手元側と奥側の固定作業を行なうことが難しかった。このため、一ヶ所でテーブルの手元側及び奥側の固定作業を行える内視鏡システムが望まれていた。
【００３３】
図８に示すように本実施形態においては周辺機器２を設置するテーブル３を内視鏡システムのフレーム６１に固定する際、テーブル３の手元側に設けた折り曲げ部３ｘをビス６２によってフレーム６１の手元部６１ａに固定し、テーブル３の奥側に設けた折り曲げ部３ｙを先端部にネジ部６３ａを設けたシャフト６３によってフレーム６１の奥部６１ｂに固定している。
【００３４】
このことにより、例えばテーブル３を引き出して周辺装置２のメンテナンスが終了した後、先ずビス６２で折り曲げ部３ｘをフレーム６１ａに固定し、その後、シャフト６３を螺合することによって折り曲げ部３ｙをフレーム６１ｂに固定して、テーブル３のフレーム６１への固定が確実に行われる。
【００３５】
このように、テーブルのフレーム両側への固定を一方向で行うことができるので、作業にかかる労力を軽減することができる。また、周辺装置を設置したテーブルを安定した状態でシステム用筐体内部に収容することができるので、特に、輸送時の安全性が図れる。なお、テーブル３は図の右側に向かって引き出されるようになっている。また、図中では省略しているがこのテーブル３にはスライド機構が設けられている。
【００３６】
ところで、テーブル上にさらにテーブルを設けて周辺機器を可動するようにしている内視鏡システムにおいて、テーブルの上に設けられているテーブルを固定することが煩わしい作業であり、この作業を軽減してメンテナンス性の良い内視鏡システムが望まれていた。
【００３７】
テーブル上にさらに周辺機器を設置したテーブルを設けて可動するようにした内視鏡システムは、図９に示すようにフレーム７０に設けられた固定部材７１、スライドレール７２、折り曲げ部７３ａを有するテーブル７３、このテーブル７３上を紙面に対して垂直方向に可動し折り曲げ部７４ａを有するテーブル７４などで構成されている。前記折り曲げ部７３ａには打ち込みナット７６が打ち込み固定されている。また、前記折り曲げ部７４ａと折り曲げ部７３ａとが重なるようにしてある。
【００３８】
前記テーブル７３上には板部材７７が固定されており、この板部材７７と前記テーブル７４の端面部とが重なるようになっている。両端部にネジ部７８ａを加工したシャフト７８は、金具７９によってテーブル７３に保持されている。なお、符号８０は前記シャフト７８のネジ部７８ａに螺合するナットであり、符号２は周辺装置である。
【００３９】
例えば周辺装置２のメンテナンスを終了して収納する時、テーブル７３の手元側の固定については、テーブル７３に関しては手元側折り曲げ部７３ｘをフレーム７０に固定して行なう。一方、周辺機器２が設置されているテーブル７４は、板部材７７にネジ止めにて固定する。
【００４０】
奥側の固定については図に示すようなシャフト７８を締め込んでいくことによって折り曲げ部７４ａを折り曲げ部７３ａに密着させて行う。このことにより、前記テーブル７４はシステム本体のフレーム７０に対して固定したのと同様に固定される。
【００４１】
なお、ナット８０をシャフト７８のネジ部７８ａに締め込むことによってさらに固定を確実に行なえる。また、折曲げ部７３ａ，７４ａの透孔の位置を適宜調整することによって、テーブル７４の垂直方向を任意の位置にして固定することが可能になる。
【００４２】
このことにより、メンテナンス後の作業が軽減されるばかりでなく、メンテナンス作業全体を効率化することができる。また、フレームの両側に固定作業のための扉等を設ける必要が無くなる。さらに、周辺装置の設置位置をテーブルの引き出し方向と垂直になる方向で任意に設定することができるので、システムの設計時のレイアウトの自由度が増すばかりでなく、内視鏡システム設計上及びシステム外観上有利になる。
【００４３】
ところで、内視鏡システムの装置の中には内視鏡に設けた送水管路を通じて、患者の体内に液体を送り込む送水機能を備えた送水装置がある。この送水装置には送水するための液体を貯留しておくための送水用タンクが設けられている。この送水用タンクには減菌水等の液体が貯溜されており、液体がローラーポンプ等で送水されるようになっている。
【００４４】
このような送水用装置は図３に示したシステム用筐体１１内に収納されており、図１０に示すように送水用タンク８１内に落とし込んだチューブ８２内の空気を前記ローラーポンプのヘッド部８３を回転させて吸い出すと共にタンク内の液体８４をチューブ８２から送水チューブ８５を通して図示しない内視鏡の送水管路を通じて体内に送水するようにしている。しかし、前記送水用タンク８１内に落とし込まれたチューブ８２の先端面８２ａがタンク底面８１ａに接近して、チューブ８２の先端面８２ａがタンク底面８１ａに密着すると、タンク内に貯溜されている液体８４の送水が不可能になって検査をスムーズに行なうことができなくなるおそれがあった。
【００４５】
このため、送水用タンク８１内に落とし込んだチューブ８２の先端面８２ａがタンク底面８１ａに接近したときでも送水をスムーズに続けられる内視鏡システムが望まれていた。
【００４６】
本実施形態においては図１１に示すようにチューブ８２の先端面８２ａの先端形状を凹み山形形状８２ｂあるいは出っ張り山形形状８２ｃに形成して、先端面８２ａ全体がタンク底面８１ａに密着しない構造にしている。
【００４７】
このことにより、、たとえチューブ８２の先端面８２ａが送水用タンク８１のタンク底面８１ａに接近した場合でもチューブ８２の先端面８２ａの一部がタンク底面８１ａに接触するだけで、送水は確実、且つスムーズに継続して行える。
【００４８】
なお、チューブの先端面の形状は山形形状に限定されるものではなく、先端面とタンク底面とが密着しない形状であれば良い。
【００４９】
また、符号８６はシステム用筐体１１に取り付けられている扉であり、このシステム用筐体には前記扉８６と対向する位置に開閉検知センサー８７が設けられている。このことにより、前記扉８６が開いている状態のときには前記開閉検知センサー８７から扉８６が開状態であることを知らせる検知信号が出力されてヘッド部８３の回転を停止する。
【００５０】
ところで、内視鏡システムの装置の中には光源装置などのように高温に熱せられた空気を排出する機器がある。このような熱気を発する機器をシステム用筐体内に収納した場合、高温に熱せられた空気が機器に備えられている排気孔から外部に排出され、この機器が収納される場所や排気孔の向きによっては、熱せられた空気が矢印Ａ方向（図１２参照）に放熱されて、検査中のドクターやナース、あるいは患者に吹きかかるおそれがある。
【００５１】
このため、図１２に示すようにシステム用筐体１１の内部に収納されている光源装置９１の排気孔９１ａから吹き出されてくる熱せられた空気を、確実にシステム用筐体１１の排気口９２から排出するようにして快適な検査環境を確保することが望まれていた。
【００５２】
本実施形態において送気管路系は集気ダクト９３の集気口を光源装置９１の排気孔９１ａに密着させる一方、この集気ダクト９３に備えられている屈曲自在な可撓性のチューブ体で形成した排気用ホース９３の一端部を前記排気口９２に連結して構成されている。また、前記集気ダクト９３及び排気用ホース９３の管路抵抗が大きいことを想定して、排気用チューブ９３の両端部にそれぞれ排気を促進するファン９４ａ，９４ｂを設けている。なお、本実施形態の排気口９２は、システム用筐体１１の曲面部１１Ａに設置されているので、システム用筐体１１が内視鏡室の隅に据え付けられた場合でも排気口９２が閉鎖されることがない。
【００５３】
このことにより、光源装置９１の排気孔９１ａから吹き出されてくる熱気は、集気口を通ってダクト９３内に入り、ファン９４ａ、排気用ホース９３、ファン９４ｂを経由して排気口９２から矢印Ｂ方向に排気されていく。このため、検査中にドクター、ナースあるいは患者に熱せされた空気が吹きかかることを無くすことができる。
【００５４】
なお、排気用ホースの長さを適宜変更することによって、排気口を任意の位置に設定することが可能になる。また、ファンを追加することによって、周辺装置の様々な排気量に対応させることができる。さらに、集気ダクトの排気用の管路の密閉度を高めることにより、集めた熱気をシステム用筐体内部に漏らすこと無く排気することが可能になる。
【００５５】
［付記］
１．内視鏡と複数の周辺装置をシステム用筐体に収納する内視鏡システムにおいて、前記システム用筐体に収納される周辺装置を、システム用筐体に配設したスライド機構を有するテーブルに設置した内視鏡システム。
【００５６】
２．前記周辺装置を相互に電気的に接続する電気ケーブルの長さが、少なくとも内視鏡システム内の通過経路に必要な長さと、テーブルのスライドストローク長とを加えた長さ以上である付記１の内視鏡システム。
【００５７】
３．前記電気ケーブルがケーブルダクトに収納されて保護されている付記２記載の内視鏡システム。
【００５８】
４．前記テーブルをシステム用筐体内に固定する手段が、テーブルの引き出し側である手元側の固定手段と、奥側の２つの固定手段からなり、前記奥側の固定手段が手元側から操作可能である付記１記載の内視鏡システム。
【００５９】
５．前記テーブルがシステム用筐体に設けられているフレームに固定される付記４記載の内視鏡システム。
【００６０】
６．システム用筐体に設けられているフレームに固定されたテーブル上に、テーブルを有し、この２つのテーブルの間に、手元側固定手段と、この手元側から操作可能な奥側固定手段とを設けた付記４記載の内視鏡システム。
【００６１】
７．内視鏡と複数の周辺装置とで構成される内視鏡システムにおいて、システムを構成する送水用タンク内に落とし込まれ、タンク内の液体の吸い込み口になるチューブ先端の先端面形状が、タンク平面に密着しない形状である内視鏡システム。
【００６２】
８．前記チューブ先端の先端面形状が２つ以上の面で構成されている付記７記載の内視鏡システム。
【００６３】
９．前記チューブ先端の先端面形状が曲面である付記７記載の内視鏡システム。
【００６４】
１０．内視鏡と複数の周辺装置とで構成される内視鏡システムにおいて、空気を集める集気ダクトと、この集気ダクトで集めた空気を送る送気管路と、この送気管路で送られた空気を排出する排気口とを有する内視鏡システム。
【００６５】
１１．前記排気口が、検査中に医師、看護婦、検査技師、患者が静止する場所以外の位置に設置されている付記１０記載の内視鏡システム。
【００６６】
１２．前記集気ダクトから排気口に至る送気管路系を密閉構造にした付記１０記載の内視鏡システム。
【００６７】
１３．前記集気ダクトから排気口に至る送気管路系の中途部にファンを設けた付記１０記載の内視鏡システム。
【００６８】
１４．前記集気ダクトによって周辺機器から発生する熱気を集める付記１０記載の内視鏡システム。
【００６９】
【発明の効果】
以上説明したように本発明によれば、システム用筐体に収納されている装置の保守・点検などを行なう際、装置をシステム用筐体に固定している固定状態を解除する作業や装置に接続されているケーブル類の取り外し作業などを行なうことなく、目的の作業をスムーズに快適に行える内視鏡システムを提供することができる。
【図面の簡単な説明】
【図１】図１及び図２は本発明の一実施形態に係り、図１はシステム用筐体に配設される周辺装置を設置するテーブルの一例を示し、テーブルを複数設けた収納ケース体の概略構成を示す説明図
【図２】作業状態を示す図であり、
（ａ）周辺装置を設置したテーブルを引き出して作業を行なう状態を示す説明図
（ｂ）周辺装置をフレームから取り出して作業を行なう状態を示す説明図
【図３】図３及び図４は内視鏡システムを示す図であり、図３は内視鏡システムの全体構成を示す説明図
【図４】内視鏡システムの全体構成を別の角度から示す説明図
【図５】排液構造を設けたテーブルを示す説明図
【図６】コネクタ設置部の概略構成を示す説明図
【図７】基板収納ケースの概略構成を示す説明図
【図８】テーブル固定する手段を示す説明図
【図９】テーブル上に配設したテーブルを固定する手段を示す説明図
【図１０】送水用装置の概略構成を示す図
【図１１】チューブの先端面の形状を示す図
【図１２】内視鏡システムの排気構造を示す説明図
【符号の説明】
１…収納ケース体
２ａ…周辺装置
３…テーブル
５…ケーブル類
６…可動型ケーブルダクト
【図１】
0003639369.tif 000002
【図２】
0003639369.tif 000003
【図３】
0003639369.tif 000004
【図４】
0003639369.tif 000005
【図５】
0003639369.tif 000006
【図６】
0003639369.tif 000007
【図７】
0003639369.tif 000008
【図８】
0003639369.tif 000009
【図９】
0003639369.tif 000010
【図１０】
0003639369.tif 000011
【図１１】
0003639369.tif 000012
【図１２】
0003639369.tif 000013